(57)【要約】      （修正有）【課題】蓋を簡単に洗えるタンブラーを提供する。【解決手段】本体１と蓋２があり、本体内径の飲み口に突出部が具備され、飲み口の内径は喇叭形になっており、蓋内径にはカバープラグ２０６が具備され、カバープラグの下方側にパッキン２０７が具備され、パッキンと突出部と合わせて水を密封可能で、パッキンはカバープラグの根部部分に固定され、蓋の一番外側２０４と本体飲み口の外径の螺旋ネジと連結され、蓋の天井２０１とカバープラグの内径ネジと連結、天井とカバープラグと一体になる。リングバックル２０２は蓋の天井、カバープラグ、蓋の一番外側の間に設置され、蓋の一番外側とカバープラグ間にリングバックルが連結させ、リングバックルと蓋の一番外側とカバープラグと一体になり、リングバックルの丸いフックには嵌合口がある。【選択図】図４
0003192793.tif 000002
【実用新案登録請求の範囲】
【請求項１】
本体（１）と、蓋（２）の２つの部分がある水洗い易い蓋があるタンブラーであって、
本体の内径の飲み口には凸稜圈が具備されて、本体飲み口の内径は喇叭形になっており、
蓋の内径にはカバープラグ（２０６）が具備され、
カバープラグの下方側にパッキン（２０７）が具備され、
パッキンと飲み口にある凸稜圈と合わせて水を密封し、
パッキンはカバープラグ（２０６）の根部部分に固定され、
蓋の一番外側（２０４）と本体飲み口の外径の螺旋ネジと連結し；
その特徴は蓋（２）の天井（２０１）とカバープラグ（２０６）の内径ネジと連結して、天井とカバープラグと一体になり、
リングバックル（２０２）は、蓋の天上、カバープラグ、蓋の一番外側の間に設置され、言わば、蓋の一番外側とカバープラグの間に円型のリングバックルが連結され、
リングバックルと蓋の一番外側とカバープラグと一体になり、
リングバックルの丸いフックには圈槽口がある。
【請求項２】
蓋（２）のリングバックル（２０２）とカバープラグ（２０６）との間に密封グバックル（２０５）が設置されて圈槽の中で固定されたことを特徴とする請求項１に記載のタンブラー
【請求項３】
カバープラグ（２０６）の天上外径に合わせて耳栓があり、耳栓はリングバックルのフックの圈槽の中で固定されていることを特徴とする請求項２に記載のタンブラー。
【請求項４】
蓋（２）の蓋の一番外側（２０４）と天井（２０１）の間に装飾リング（２０３）が設置され、リングバックル（２０２）と蓋の一番外側により固定されていることを特徴とする請求項１に記載のタンブラー。
【請求項５】
本体（１）の飲み口付近にカバー（３）があり、カバーの外径と本体内径の間にパッキン（４）あることを特徴とする請求項１に記載のタンブラー。
【考案の詳細な説明】
【技術分野】
【０００１】
本考案は、洗い易い蓋を備えたタンブラーに関する。
【背景技術】
【０００２】
タンブラーは日用生活の中には水を入れる容器として使われている。そして、その中に保温機能を持つタンブラーは保温杯と呼ばれている。この種類の商品は通常はステンレス素材を用いて、２層構造で作る。２層の間の空気を抜いて真空状態にする。蓋も空気が簡単に入らないように作られている。それで保温の目的を達成していた。
【先行技術文献】
【特許文献】
【０００３】
【特許文献１】中国専利文献中披露、申請番号２０１３２０３８６４０５．，４号公報
【考案の概要】
【考案が解決しようとする課題】
【０００４】
しかしながら、蓋の部分は複雑で、保温力を高めるために、分解、洗浄することには不便である。その為に中国専利文献中披露、申請番号２０１３２０３８６４０５．４、授権広告日２０１３．０７．０１、実用新案名称「真空蓋の構造」では、このタンブラーの蓋中心部に穴がある。
【０００５】
穴の下部には外側に向けて大きくなって、階段になっている。蓋の天井部分は上から下に外蓋の穴に差し込む。
【０００６】
パッキンは下から上に向けて外蓋中心部穴の階段まで、天井の内側の壁に耳栓と配合しているネジがあり、耳栓がネジの方向で回旋しながら天井まで着く。パッキンとしっかり密着する。
【０００７】
天井と蓋の外側の間に回旋を止める歯状構造があり、天井と耳栓の間にネジで連結、取り外し、洗浄が便利になる。
【０００８】
しかし、上述のような構造は、生産と組み立てライン上では、精密度の要求が高く、大量かつ安定に製造するのは課題が残っている。
【課題を解決するための手段】
【０００９】
上記課題を解決するために本実用新案を考案した。その目的は、蓋を簡単に洗えるタンブラーを作ることで、下記の方法で実現し。従来の密封効果の弱い、取り外し不便と洗浄不便の問題を解決した。
【００１０】
本考案の水洗い易い蓋があるタンブラーは、タンブラーの本体と蓋があり、本体飲み口の内側に全部に凸稜圏が設置されて、飲み口の内径は喇叭形になり、蓋の内径には耳栓があり、耳栓の先にあるパッキンは飲み口内部にある凸稜圏とセットして密封になる。
【００１１】
パッキンは耳栓の先端に固定される、蓋の一番外側と本体飲み口の外径と螺旋ネジで連結、要するにカバープラグを通してタンブラーの内部に入る、カバープラグのパッキンと本体内径の凸稜圏との間に密封になることを保つ。これでタンブラーの保温性と密封性を保証する。
【００１２】
その構造上の設計要点は、蓋の天井とカバープラグの内径螺旋ネジを連結、天井とカバープラグと一体になる。グバックルは天井、カバープラグ、蓋の一番外側の間に設置され、要するに蓋の一番外側とカラープラグの間にリングバックルのフックで連結され、リングバックルと蓋の一番外側とカバープラグと一体になる。
【００１３】
グバックルの円型のフックには圏槽口がある。カバープラグの蓋の一番外側との間にグバックルを通して一体になる、カバープラグと天井と一体になる。従って、天井、カバープラグ、蓋の一番外側、天井は一体になる。
【００１４】
蓋を分解する時、天井とカバープラグとの連結を解除することにより、天井とカバープラグを分解できる、グバックルの円型フックを動かすと、グバックルと蓋の一番外側を分解できる。
【００１５】
蓋のグバックルとカバープラグとの間に密封のパッキンがあり、グバックルはカバープラグの上部の圏槽口の中に設置され、蓋の密封性を更に高める。
【００１６】
カバープラグの天井外径に合せて耳栓があり、耳栓はリングバックルのフックの圏槽口の中に設置され、耳栓と圏槽口と合せて、グバックルとカバープラグの間に回転する。カバープラグを回転することにつれて、カバープラグから蓋の天井を解除する。
【００１７】
蓋の一番外側と天井の間に装飾リングが設置してあり、グバックルを通して蓋の一番外側と固定される。装飾リングは綺麗に見せるためである。
【００１８】
タンブラーの本体の飲み口付近にカバーがあり、カバーの外径と本体内径の間にパッキンがある。こうすることで、綺麗に見せることができるとともに、に密封性を高めることも可能になる。飲み口とカバーとグバックルの円型フックがかみ合わせることで更に密封性を高める。
【考案の効果】
【００１９】
本実用新案は、構造設計上は合理的である。組み立て、洗浄など使用便利、保温、密封効果もよく高める。真空型タンブラー及び他のタンブラーにも使用できる。
【図面の簡単な説明】
【００２０】
【図１】本実用新案の立体構造図である。
【図２】本実用新案の蓋構造図である。
【図３】本実用新案の各パーツの分解図である。
【図４】本実用新案の断面組織図である。
【考案を実施するための形態】
【００２１】
図面を参考にしながら、本実用新案の商品（型番５３９０Ｃ）を例として、その構造及び作用に対して更に説明すると、図面１〜４までの通りに、このタンブラーは、本体１、蓋２、カバー３、パッキン４、本体の内径飲む部分には凸稜圏を設けて、そのため、本体飲み口の内径は喇叭形になり、蓋の内径にはカバープラグ２０６がついている。
【００２２】
蓋のカバープラグ２０６はタンブラーの中に入る；蓋の一番外側２０４と本体飲み口の外径の螺旋ネジと連結し、カバープラグ２０６のパッキン２０７が飲み口にある凸稜圏と合せて水を密封にしてくれる。
【００２３】
同時に、本体の飲み口にカバー３があり、カバー３の外径とタンブラー本体内径の間にパッキン４が設置されてある。
【００２４】
このパッキン４はカバープラグ２０６の根部（圏筋）に固定され、蓋の天井２０１とカバープラグ２０６の内径螺旋ネジに連結し、天井２０１とカバープラグ２０６が一体になる；リングバックル２０２は天井２０１、カバープラグ２０６、蓋の一番外側２０４の間に設置され、要するに蓋の一番外側２０４とカバープラグ２０６の間にあるリングバックル２０２の円型フックで固定して、リングバックル２０２と蓋の一番外側２０４とカバープラグ２０６が一体になり、蓋の一番外側２０４と天井２０１の間にある装飾リング２０３も同じ所で固定される。
【００２５】
リングバックル２０２の円型フックには圈槽口があり；カバープラグ２０６の上部に耳栓があり、そのカバープラグ２０６の耳栓は、リングバックル２０２の円型フックの圈層口に固定される。密封性を高めるために、リングバックル２０２とリングバックル２０２の間にグバックル２０５が設置され、圈層の中で固定される。
【００２６】
タンブラーを洗浄する時、天井２０１をしっかり握りながら、カバープラグ２０６を回すと、天井２０１とカバープラグ２０６との連結を解除することができる。次ぎ、リングバックル２０２に付いている円型フックを内側方向に二つ指で押すと、円型フックの変形により、リングバックル２０２と、蓋の一番外側２０４との連結が解除される。更に、グバックル２０５とパッキン２０７も解除して、タンブラーを丸洗いすることができる。洗浄した後、先程説明した手順を逆にして組み立てていくと元に戻る。
【産業上の利用可能性】
【００２７】
本実用新案は、構造設計上は合理的であり、組み立て、洗浄など使用便利、保温、密封効果もよく高め、真空型のタンブラー及び、他のタンブラーにも使用できる。
【符号の説明】
【００２８】
１    タンブラー本体
２    蓋
２０１    天井
２０２    リングバックル
２０３    装飾リング
２０４    蓋の一番外側
２０５    グバックル
２０６    カバープラグ
２０７    パッキン
３    飲み口付近のカバー
４    パッキン
【図１】
0003192793.tif 000003
【図２】
0003192793.tif 000004
【図３】
0003192793.tif 000005
【図４】
0003192793.tif 000006
【手続補正書】
【提出日】平成26年6月30日(2014.6.30)
【手続補正１】
【補正対象書類名】明細書
【補正対象項目名】全文
【補正方法】変更
【補正の内容】
【考案の詳細な説明】
【技術分野】
【０００１】
本考案は、洗い易い蓋を備えたタンブラーに関する。
【背景技術】
【０００２】
タンブラーは日用生活の中には水を入れる容器として使われている。そして、その中に保温機能を持つタンブラーは保温杯と呼ばれている。この種類の商品は通常はステンレス素材を用いて、２層構造で作る。２層の間の空気を抜いて真空状態にする。蓋も空気が簡単に入らないように作られている。それで保温の目的を達成していた。
【先行技術文献】
【特許文献】
【０００３】
【特許文献１】中国専利文献中披露、申請番号２０１３２０３８６４０５．，４号公報
【考案の概要】
【考案が解決しようとする課題】
【０００４】
しかしながら、蓋の部分は複雑で、保温力を高めるために、分解、洗浄することには不便である。その為に中国専利文献中披露、申請番号２０１３２０３８６４０５．４、授権広告日２０１３．０７．０１、実用新案名称「真空蓋の構造」では、このタンブラーの蓋中心部に穴がある。
【０００５】
穴の下部には外側に向けて大きくなって、階段になっている。蓋の天井部分は上から下に外蓋の穴に差し込む。
【０００６】
パッキンは下から上に向けて外蓋中心部穴の階段まで、天井の内側の壁に耳栓と配合しているネジがあり、耳栓がネジの方向で回旋しながら天井まで着く。パッキンとしっかり密着する。
【０００７】
天井と蓋の外側の間に回旋を止める歯状構造があり、天井と耳栓の間にネジで連結、取り外し、洗浄が便利になる。
【０００８】
しかし、上述のような構造は、生産と組み立てライン上では、精密度の要求が高く、大量かつ安定に製造するのは課題が残っている。
【課題を解決するための手段】
【０００９】
上記課題を解決するために本実用新案を考案した。その目的は、蓋を簡単に洗えるタンブラーを作ることで、下記の方法で実現し。従来の密封効果の弱い、取り外し不便と洗浄不便の問題を解決した。
【００１０】
本考案の水洗い易い蓋があるタンブラーは、タンブラーの本体と蓋があり、本体飲み口の内側に全部に突出部が設置されて、飲み口の内径は喇叭形になり、蓋の内径には耳栓があり、耳栓の先にあるパッキンは飲み口内部にある突出部とセットして密封になる。
【００１１】
パッキンは耳栓の先端に固定される、蓋の一番外側と本体飲み口の外径と螺旋ネジで連結、要するにカバープラグを通してタンブラーの内部に入る、カバープラグのパッキンと本体内径の突出部との間に密封になることを保つ。これでタンブラーの保温性と密封性を保証する。
【００１２】
その構造上の設計要点は、蓋の天井とカバープラグの内径螺旋ネジを連結、天井とカバープラグと一体になる。グバックルは天井、カバープラグ、蓋の一番外側の間に設置され、要するに蓋の一番外側とカラープラグの間にリングバックルのフックで連結され、リングバックルと蓋の一番外側とカバープラグと一体になる。
【００１３】
グバックルの円型のフックには嵌合口がある。カバープラグの蓋の一番外側との間にグバックルを通して一体になる、カバープラグと天井と一体になる。従って、天井、カバープラグ、蓋の一番外側、天井は一体になる。
【００１４】
蓋を分解する時、天井とカバープラグとの連結を解除することにより、天井とカバープラグを分解できる、グバックルの円型フックを動かすと、グバックルと蓋の一番外側を分解できる。
【００１５】
蓋のグバックルとカバープラグとの間に密封のパッキンがあり、グバックルはカバープラグの上部の嵌合口の中に設置され、蓋の密封性を更に高める。
【００１６】
カバープラグの天井外径に合せて耳栓があり、耳栓はリングバックルのフックの嵌合口の中に設置され、耳栓と嵌合口と合せて、グバックルとカバープラグの間に回転する。カバープラグを回転することにつれて、カバープラグから蓋の天井を解除する。
【００１７】
蓋の一番外側と天井の間に装飾リングが設置してあり、グバックルを通して蓋の一番外側と固定される。装飾リングは綺麗に見せるためである。
【００１８】
タンブラーの本体の飲み口付近にカバーがあり、カバーの外径と本体内径の間にパッキンがある。こうすることで、綺麗に見せることができるとともに、に密封性を高めることも可能になる。飲み口とカバーとグバックルの円型フックがかみ合わせることで更に密封性を高める。
【考案の効果】
【００１９】
本実用新案は、構造設計上は合理的である。組み立て、洗浄など使用便利、保温、密封効果もよく高める。真空型タンブラー及び他のタンブラーにも使用できる。
【図面の簡単な説明】
【００２０】
【図１】本実用新案の立体構造図である。
【図２】本実用新案の蓋構造図である。
【図３】本実用新案の各パーツの分解図である。
【図４】本実用新案の断面組織図である。
【考案を実施するための形態】
【００２１】
図面を参考にしながら、本実用新案の商品（型番５３９０Ｃ）を例として、その構造及び作用に対して更に説明すると、図面１〜４までの通りに、このタンブラーは、本体１、蓋２、カバー３、パッキン４、本体の内径飲む部分には突出部を設けて、そのため、本体飲み口の内径は喇叭形になり、蓋の内径にはカバープラグ２０６がついている。
【００２２】
蓋のカバープラグ２０６はタンブラーの中に入る；蓋の一番外側２０４と本体飲み口の外径の螺旋ネジと連結し、カバープラグ２０６のパッキン２０７が飲み口にある突出部と合せて水を密封にしてくれる。
【００２３】
同時に、本体の飲み口にカバー３があり、カバー３の外径とタンブラー本体内径の間にパッキン４が設置されてある。
【００２４】
このパッキン４はカバープラグ２０６の根部（圏筋）に固定され、蓋の天井２０１とカバープラグ２０６の内径螺旋ネジに連結し、天井２０１とカバープラグ２０６が一体になる；リングバックル２０２は天井２０１、カバープラグ２０６、蓋の一番外側２０４の間に設置され、要するに蓋の一番外側２０４とカバープラグ２０６の間にあるリングバックル２０２の円型フックで固定して、リングバックル２０２と蓋の一番外側２０４とカバープラグ２０６が一体になり、蓋の一番外側２０４と天井２０１の間にある装飾リング２０３も同じ所で固定される。
【００２５】
リングバックル２０２の円型フックには嵌合口があり；カバープラグ２０６の上部に耳栓があり、そのカバープラグ２０６の耳栓は、リングバックル２０２の円型フックの嵌合口に固定される。密封性を高めるために、リングバックル２０２とリングバックル２０２の間にグバックル２０５が設置され、嵌合口の中で固定される。
【００２６】
タンブラーを洗浄する時、天井２０１をしっかり握りながら、カバープラグ２０６を回すと、天井２０１とカバープラグ２０６との連結を解除することができる。次ぎ、リングバックル２０２に付いている円型フックを内側方向に二つ指で押すと、円型フックの変形により、リングバックル２０２と、蓋の一番外側２０４との連結が解除される。更に、グバックル２０５とパッキン２０７も解除して、タンブラーを丸洗いすることができる。洗浄した後、先程説明した手順を逆にして組み立てていくと元に戻る。
【産業上の利用可能性】
【００２７】
本実用新案は、構造設計上は合理的であり、組み立て、洗浄など使用便利、保温、密封効果もよく高め、真空型のタンブラー及び、他のタンブラーにも使用できる。
【符号の説明】
【００２８】
１    タンブラー本体
２    蓋
２０１    天井
２０２    リングバックル
２０３    装飾リング
２０４    蓋の一番外側
２０５    グバックル
２０６    カバープラグ
２０７    パッキン
３    飲み口付近のカバー
４    パッキン
【手続補正２】
【補正対象書類名】実用新案登録請求の範囲
【補正対象項目名】全文
【補正方法】変更
【補正の内容】
【実用新案登録請求の範囲】
【請求項１】
本体（１）と、蓋（２）の２つの部分がある水洗い易い蓋があるタンブラーであって、
本体の内径の飲み口には突出部が具備されて、本体飲み口の内径は喇叭形になっており、
蓋の内径にはカバープラグ（２０６）が具備され、
カバープラグの下方側にパッキン（２０７）が具備され、
パッキンと飲み口にある突出部と合わせて水を密封し、
パッキンはカバープラグ（２０６）の根部部分に固定され、
蓋の一番外側（２０４）と本体飲み口の外径の螺旋ネジと連結し；
その特徴は蓋（２）の天井（２０１）とカバープラグ（２０６）の内径ネジと連結して、天井とカバープラグと一体になり、
リングバックル（２０２）は、蓋の天井、カバープラグ、蓋の一番外側の間に設置され、言わば、蓋の一番外側とカバープラグの間に円型のリングバックルが連結され、
リングバックルと蓋の一番外側とカバープラグと一体になり、
リングバックルの丸いフックには嵌合口がある、ことを特徴とするタンブラー。
【請求項２】
蓋（２）のリングバックル（２０２）とカバープラグ（２０６）との間に密封グバックル（２０５）が設置されて嵌合口の中で固定されたことを特徴とする請求項１に記載のタンブラー
【請求項３】
カバープラグ（２０６）の天井外径に合わせて耳栓があり、耳栓はリングバックルのフックの嵌合口の中で固定されていることを特徴とする請求項２に記載のタンブラー。
【請求項４】
蓋（２）の蓋の一番外側（２０４）と天井（２０１）の間に装飾リング（２０３）が設置され、リングバックル（２０２）と蓋の一番外側により固定されていることを特徴とする請求項１に記載のタンブラー。
【請求項５】
本体（１）の飲み口付近にカバー（３）があり、カバーの外径と本体内径の間にもパッキン（４）あることを特徴とする請求項１に記載のタンブラー。